(57)【要約】【課題】建物内において局所換気が実施されている場合でも玄関ドアを開け易くすることが可能な換気システムを得ること。【解決手段】換気システム１は、屋内に設置され、屋内の空気を屋外に排気する熱交換換気装置２０と、玄関ドアを施解錠する電気錠３０と、熱交換換気装置２０が運転中であることを検出し、且つ屋内の空気の圧力が負圧になっている状態において電気錠３０の状態が施錠から解錠に変化したことを検出した場合に、熱交換換気装置２０の運転を制御して屋内の空気の負圧を解消または低減する制御を行う連携制御装置５０とを備える。【選択図】図１
2018031510.tif 000002
【特許請求の範囲】
【請求項１】
屋内に設置され、屋内の空気を屋外に排気する換気装置と、
玄関ドアを施解錠する電気錠と、
前記換気装置が運転中であることを検出し、且つ前記屋内の空気の圧力が負圧になっている状態において前記電気錠の状態が施錠から解錠に変化したことを検出した場合に、前記換気装置の運転を制御して前記屋内の空気の負圧を解消または低減する制御を行う連携制御装置と、
を備えることを特徴とする換気システム。
【請求項２】
前記連携制御装置は、前記換気装置が排気運転中であること、または前記換気装置が排気風量が給気風量よりも大きい急速排気運転中であることを検出し、前記電気錠の状態が施錠から解錠に変化したことを検出した場合に、前記換気装置の前記排気運転または前記急速排気運転を、一時的に停止させる制御または現在の運転における排気風量よりも排気風量の少ない運転に一時的に切り替える制御を行うこと、
を特徴とする請求項１に記載の換気システム。
【請求項３】
前記換気装置がレンジフードファンであり、
前記連携制御装置は、前記レンジフードファンが前記排気運転中であることを検出し、且つ前記電気錠の状態が施錠から解錠に変化したことを検出した場合に、前記換気装置の前記排気運転を一時的に停止させる制御または現在の運転における排気風量よりも排気風量の少ない運転に一時的に切り替える制御を行うこと、
を特徴とする請求項２に記載の換気システム。
【請求項４】
前記換気装置が、熱交換換気装置であり、
前記連携制御装置は、前記熱交換換気装置が前記急速排気運転中であることを検出し、且つ前記電気錠の状態が施錠から解錠に変化したことを検出した場合に、前記熱交換換気装置の運転を一時的に２４時間換気運転または前記急速排気運転における排気風量よりも排気風量の少ない運転に一時的に切り替える制御を行うこと、
を特徴とする請求項２に記載の換気システム。
【請求項５】
前記換気装置が、前記屋内におけるサニタリーゾーンの換気を行うサニタリー排気装置であり、
前記連携制御装置は、前記サニタリー排気装置が前記急速排気運転中であることを検出し、且つ前記電気錠の状態が施錠から解錠に変化したことを検出した場合に、前記サニタリー排気装置の運転を一時的に停止させる制御または一時的に２４時間換気運転に切り替える制御を行うこと、
を特徴とする請求項２に記載の換気システム。
【請求項６】
前記連携制御装置は、前記換気装置の運転を制御して前記屋内の空気の負圧を解消または低減する制御を行った後に、前記玄関ドアが閉じたことを検出した場合に、前記換気装置を元の運転状態に戻す制御を行うこと、
を特徴とする請求項１から５のいずれか１つに記載の換気システム。
【請求項７】
前記連携制御装置は、前記電気錠の状態が施錠から解錠に変化したことを検出してから既定の一定時間の経過後に、前記換気装置を元の運転状態に戻す制御を行うこと、
を特徴とする請求項１から５のいずれか１つに記載の換気システム。
【発明の詳細な説明】
【技術分野】
【０００１】
本発明は、屋内の空気を屋外に排気する換気装置を備えた換気システムに関する。
【背景技術】
【０００２】
近年、住宅の気密性能が高まり、居室の常時換気すなわち２４時間換気が義務付けられている。換気には、第１種換気と第２種換気と第３種換気とがある。第１種換気は、建物外、すなわち屋外からの給気と室内からの排気との両方を換気機械で行う換気である。第２種換気は、屋外からの給気を換気機械で行い、室内からの排気を自然排気で行う換気である。第３種換気は、屋外からの給気は自然給気で行い、室内からの排気を換気機械で行う換気である。そして、一般的には、２４時間換気には第１種換気と第３種換気とが広く普及している。
【０００３】
また、建物内、すなわち屋内には、２４時間換気とは別に、調理時の臭気などの汚染空気を速やかに屋外に排気する局所換気を行うレンジフードファン等の局所換気装置が設置され、さらに、入浴後の湿気を速やかに屋外に排気する浴室換気扇等が備え付けられている。
【０００４】
しかしながら、住宅の高気密化が進み、レンジフードファンなどによる局所換気運転を行った場合、屋外から室内に空気を取り込む給気が不足し、屋内の空気の圧力が負圧となる。屋内の空気の圧力が負圧となると、玄関ドアが開けられない、開けにくいといった状態となる。特に、集合住宅などの気密性の高い住宅ではこの傾向が顕著である。
【０００５】
このような問題を解決する技術として、特許文献１には、天井に開設された給気穴から取り入れた天井裏の空気をレンジフードの前面から台所へ自然流入させることにより、台所への給気を行うレンジフードファンが示されている。
【先行技術文献】
【特許文献】
【０００６】
【特許文献１】特許第３０３５５６１号公報
【発明の概要】
【発明が解決しようとする課題】
【０００７】
しかしながら、上記特許文献１に開示したようなレンジフードファンを備えた場合においても、排気風量の大きいモードで排気運転を行った場合には、屋外から室内に空気を取り込む給気が不足し、屋内の空気の圧力が負圧状態となる。そして、このような状態では、玄関ドア等の、屋外に通じる外開きのドアが開けにくくなり、特に子供または高齢者などの腕力の弱い人にとってはドアが開けられない、といった状態も生じる。
【０００８】
本発明は、上記に鑑みてなされたものであって、建物内において局所換気が実施されている場合でも屋外に通じる外開きのドアを開け易くすることが可能な換気システムを得ることを目的とする。
【課題を解決するための手段】
【０００９】
上述した課題を解決し、目的を達成するために、本発明にかかる換気システムは、屋内に設置され、屋内の空気を屋外に排気する換気装置と、玄関ドアを施解錠する電気錠と、換気装置が運転中であることを検出し、且つ屋内の空気の圧力が負圧になっている状態において電気錠の状態が施錠から解錠に変化したことを検出した場合に、換気装置の運転を制御して屋内の空気の負圧を解消または低減する制御を行う連携制御装置と、を備える。
【発明の効果】
【００１０】
本発明によれば、建物内において局所換気が実施されている場合でも玄関ドアを開け易くすることが可能な換気システムが得られる、という効果を奏する。
【図面の簡単な説明】
【００１１】
【図１】本発明の実施の形態１にかかる換気システムの構成を示すブロック図
【図２】本発明の実施の形態１にかかる換気システムの各構成の機能構成を示すブロック図
【図３】本発明の実施の形態１にかかる処理回路のハードウェア構成の一例を示す図
【図４】本発明の実施の形態１にかかる換気システムの一般家庭住宅における構成例を示す図
【図５】図４に示す換気システムの動作の手順を示すフローチャート
【図６】図４に示す換気システムの他の動作の手順を示すフローチャート
【図７】本発明の実施の形態３にかかる換気システムの構成を示すブロック図
【図８】本発明の実施の形態３にかかる換気システムの各構成の機能構成を示すブロック図
【図９】本発明の実施の形態３にかかる換気システムの一般家庭住宅における構成例を示す図
【図１０】図９に示す換気システムの動作の手順を示すフローチャート
【図１１】図４に示す換気システムの他の動作の手順を示すフローチャート
【発明を実施するための形態】
【００１２】
以下に、本発明の実施の形態にかかる換気システムを図面に基づいて詳細に説明する。なお、この実施の形態によりこの発明が限定されるものではない。
【００１３】
実施の形態１．
図１は、本発明の実施の形態１にかかる換気システム１の構成を示すブロック図である。図２は、本発明の実施の形態１にかかる換気システム１の各構成の機能構成を示すブロック図である。本実施の形態１にかかる換気システム１は、レンジフードファン１０と、熱交換換気装置２０と、建物において屋外に通じる外開きのドアである玄関ドアに取り付けられた電気錠３０と、ドア開閉検出部４０と、連携制御装置５０と、操作端末装置６０と、建物内通信ライン７０と、を備える。レンジフードファン１０と、熱交換換気装置２０と、電気錠３０と、ドア開閉検出部４０と、連携制御装置５０とは、建物内通信ライン７０を介した有線通信により通信可能とされている。
【００１４】
レンジフードファン１０は、換気装置であり、キッチンに設けられた排気用のファンである。レンジフードファン１０は、建物の外壁まで配設されて建物外に連通したダクトからなる第１排気風路部の一端に接続されている。第１排気風路部の他端は、建物の外壁に設けられた屋外排気口に接続されている。また、レンジフードファン１０は、建物の外壁まで配設されて建物外に連通したダクトからなる第１給気風路部の一端に接続されている。第１給気風路部の他端は、建物の外壁に設けられた屋外給気口に接続されている。レンジフードファン１０の運転により、第１排気風路部および屋外排気口を介してキッチンの空気が排気される。なお、第１給気風路部からの給気は、第１排気風路部へは流れない。レンジフードファン１０は、排気部１１と、レンジフードファン操作スイッチ１２と制御部１３とを有する。
【００１５】
排気部１１は、送風機を備えて排気を実行する。レンジフードファン操作スイッチ１２は、居住者がレンジフードファン１０の運転、停止または風量の調整などの操作を行うための指示情報を入力するスイッチであり、キッチンに配置される。レンジフードファン１０は、レンジフードファン操作スイッチ１２を操作することによって、または連携制御装置５０の指示信号に基づいて、排気風量を複数段階に切り替えて運転可能である。
【００１６】
レンジフードファン１０の制御部１３は、レンジフードファン１０の運転状態を示す運転状態信号としてのレンジフードファン運転開始信号およびレンジフードファン運転停止信号の送信を含む、レンジフードファン１０全体の処理を制御する。レンジフードファン１０の制御部１３は、レンジフードファン１０の運転が開始されると、レンジフードファン１０が運転を開始した旨を通知する信号であるレンジフードファン運転開始信号を、建物内通信ライン７０を介して連携制御装置５０の連携制御部５１に送信する。レンジフードファン１０の制御部１３は、排気部１１が運転を開始すると同時に、レンジフードファン運転開始信号を送信する。
【００１７】
また、レンジフードファン１０の制御部１３は、レンジフードファン１０の運転が停止すると、レンジフードファン１０が運転を停止した旨を通知する信号であるレンジフードファン運転停止信号を、建物内通信ライン７０を介して連携制御装置５０の連携制御部５１に送信する。レンジフードファン１０の制御部１３は、排気部１１が運転を停止すると同時に、レンジフードファン運転停止信号を送信する。
【００１８】
制御部１３は、例えば、図３に示したハードウェア構成の処理回路として実現される。図３は、本発明の実施の形態１にかかる処理回路のハードウェア構成の一例を示す図である。制御部１３が図３に示す処理回路により実現される場合、制御部１３は、プロセッサ１０１がメモリ１０２に記憶されたプログラムを実行することにより、実現される。また、複数のプロセッサおよび複数のメモリが連携して上記機能を実現してもよい。また、制御部１３の機能のうちの一部を電子回路として実装し、他の部分をプロセッサ１０１およびメモリ１０２を用いて実現するようにしてもよい。
【００１９】
上記のように構成されたレンジフードファン１０は、第３種換気設備であり、排気部１１が有する送風機による機械換気を行って屋外排気口から排気を行う。また、レンジフードファン１０における給気は、排気によって室内の空気の圧力が負圧になることより、自然に屋外給気口から外気が流入する自然給気により行われる。
【００２０】
熱交換換気装置２０は、換気装置であり、熱交換器２１と、排気側送風機２２と、給気側送風機２３と、熱交換器操作スイッチ２４と、制御部２５とを有している。熱交換換気装置２０は、たとえば建物の屋根裏または各階の天井裏などの、室内以外のスペースに配置される。
【００２１】
熱交換器２１は、建物外から熱交換換気装置２０を介して建物内に導入される外気と、建物内の室内から熱交換換気装置２０を介して建物外に排出される室内空気との間で熱交換を行う。すなわち、熱交換器２１は、建物外と建物内との間で排気および給気を同時に行い、建物外から吸い込んだ外気と建物内の室内から吸い込んだ室内空気との間で熱交換を行う。
【００２２】
熱交換換気装置２０は、建物の外部まで配設されて建物外に連通したダクトからなる第２給気風路部の一端に接続されている。第２給気風路部の他端は、建物の外壁に設けられた屋外給気口に接続されている。また、熱交換換気装置２０は、１または複数の室内まで配設されて該室内に連通したダクトからなる第３給気風路部の一端に接続されている。第３給気風路部の他端は、室内の天井に設けられた室内給気口に接続されている。なお、室内給気口は、給気の対象となる複数の部屋に設置されている。
【００２３】
また、熱交換換気装置２０は、建物の外部まで配設されて建物外に連通したダクトからなる第２排気風路部の一端に接続されている。第２排気風路部の他端は、建物の外壁に設けられた屋外排気口に接続されている。また、熱交換換気装置２０は、浴室まで配設されて該浴室に連通したダクトからなる第３排気風路部の一端に接続されている。第３排気風路部の他端は、浴室の天井に設けられた浴室排気口に接続されている。また、熱交換換気装置２０は、トイレまで配設されて該トイレに連通したダクトからなる第４排気風路部の一端に接続されている。第４排気風路部の他端は、トイレの天井に設けられた室内排気口に接続されている。
【００２４】
排気側送風機２２は、建物内の室内から室内空気を吸い込むとともに熱交換後の室内空気を建物の外側へ送り出して排出する熱交換排気のための送風を行う送風機である。給気側送風機２３は、建物外から外気を吸い込むとともに熱交換後の外気を室内へ送り出す熱交換給気のための送風を行う送風機である。
【００２５】
熱交換器操作スイッチ２４は、居住者が熱交換換気装置２０の運転、停止または風量の調整などの操作を行うための指示情報を入力するスイッチであり、建物内の任意の部屋に配置される。
【００２６】
熱交換換気装置２０は、通常、在室者が居ない場合においても小風量で常時換気、すなわち２４時間換気が行われる２４時間換気システムに用いられる。２４時間換気システムとは、室内の空気をファンなどの機械を使って小風量で計画的に入れ替え、常に新鮮な空気を維持するシステムである。２４時間換気は、住宅内から発生するＶＯＣ（Volatile  Organic  Compounds）を排出することを目的としている。
【００２７】
また、熱交換換気装置２０は、通常は、給気風量と排気風量とが同一となる２４時間換気を行うが、トイレおよび浴室の排気も兼ねて行っている。熱交換換気装置２０は、トイレまたは浴室の使用後、臭気または湿気を速やかに排気するために、排気風量のみを２４時間換気よりも一時的に増加させて速やかな排気を実現する急速排気運転モードで運転する急速排気運転機能を備えている。急速排気運転は、排気風量が給気風量よりも多い運転である。
【００２８】
熱交換換気装置２０は、急速排気運転モードで運転している際に、２４時間換気運転の実行を指示する旨の２４時間換気運転指示信号を連携制御装置５０から受信した場合には、該２４時間換気運転指示信号に基づいて運転モードを２４時間換気運転モードに変更し、２４時間換気運転を行う。すなわち、熱交換換気装置２０の制御部２５は、急速排気運転を行っている際に連携制御装置５０から２４時間換気運転指示信号を受信すると、排気側送風機２２の風量を制御して２４時間換気運転を行う。これにより、熱交換換気装置２０の急速排気運転に起因した建物内の空気の負圧が解消される。
【００２９】
また、熱交換換気装置２０は、熱交換換気装置２０の運転の元の状態への復帰を指示する旨の運転復帰信号を受信した場合には、該運転復帰信号に基づいて運転状態を元の運転状態に戻す。すなわち、熱交換換気装置２０の制御部２５は、連携制御装置５０から運転復帰信号を受信すると、排気側送風機２２の風量を制御して、運転状態を２４時間換気運転から急速排気運転に戻す。
【００３０】
制御部２５は、連携制御装置５０から送信される、２４時間換気運転指示信号および運転復帰信号に基づいた熱交換換気装置２０の運転の制御を含む、熱交換換気装置２０全体の処理を制御する。
【００３１】
また、制御部２５は、熱交換換気装置２０において２４時間換気運転が開始されると、熱交換換気装置２０の運転状態を示す運転状態信号として、２４時間換気運転を開始した旨を通知する信号である２４時間換気運転開始信号を、連携制御装置５０の連携制御部５１に送信する。制御部２５は、２４時間換気運転が開始されると同時に、２４時間換気運転開始信号を送信する。
【００３２】
また、制御部２５は、熱交換換気装置２０において急速排気運転が開始されると、運転状態信号として、急速排気運転を開始した旨を通知する信号である急速排気運転開始信号を、連携制御装置５０の連携制御部５１に送信する。制御部２５は、急速排気運転が開始されると同時に、急速排気運転開始信号を送信する。
【００３３】
制御部２５は、例えば、図３に示したハードウェア構成の処理回路として実現される。制御部２５が図３に示す処理回路により実現される場合、制御部２５は、プロセッサ１０１がメモリ１０２に記憶されたプログラムを実行することにより、実現される。また、複数のプロセッサおよび複数のメモリが連携して上記機能を実現してもよい。また、制御部２５の機能のうちの一部を電子回路として実装し、他の部分をプロセッサ１０１およびメモリ１０２を用いて実現するようにしてもよい。
【００３４】
電気錠３０は、玄関ドアの錠部の移動を電気的に行うことにより玄関ドアを施解錠可能な錠である。電気錠３０は、電気錠部３１と、電気錠制御部３２とを有する。電気錠部３１は、図示しない電源から供給される電力を利用して玄関ドアを電気的に施錠または解錠する。
【００３５】
電気錠制御部３２は、電気錠部３１による玄関ドアの電気的な施錠または解錠を制御する制御部である。また、電気錠制御部３２は、電気錠部３１が「施錠」状態であるか、または「解錠」状態であるかを示す電気錠状態信号を連携制御装置５０に建物内通信ライン７０を介して既定の周期で定期的に送信する制御を行う。すなわち、電気錠制御部３２は、電気錠部３１が「施錠」状態である場合には、電気錠部３１が「施錠」状態である旨を示す施錠状態信号を、建物内通信ライン７０を介して既定の周期で定期的に連携制御装置５０に送信する制御を行う。また、電気錠制御部３２は、電気錠部３１が「解錠」状態である場合には、電気錠部３１が「解錠」状態である旨を示す解錠状態信号を、建物内通信ライン７０を介して既定の周期で定期的に連携制御装置５０に送信する制御を行う。
【００３６】
また、電気錠３０は、電気錠制御部３２がインターネットなどの通信ネットワークに接続されることにより、居住者が外出先から施錠状態の確認および施錠操作などを遠隔操作で行うことができる。この場合は、電気錠制御部３２が通信ネットワークに接続してもよく、通信ネットワークに接続するための専用の通信部を設けてもよい。
【００３７】
電気錠制御部３２は、例えば、図３に示したハードウェア構成の処理回路として実現される。電気錠制御部３２が図３に示す処理回路により実現される場合、電気錠制御部３２は、プロセッサ１０１がメモリ１０２に記憶されたプログラムを実行することにより、実現される。また、複数のプロセッサおよび複数のメモリが連携して上記機能を実現してもよい。また、電気錠制御部３２の機能のうちの一部を電子回路として実装し、他の部分をプロセッサ１０１およびメモリ１０２を用いて実現するようにしてもよい。
【００３８】
ドア開閉検出部４０は、玄関ドアの開閉を検出し、建物内通信ライン７０を介して連携制御装置５０の連携制御部５１に、検出結果を示すドア開閉検出信号を送信する。ドア開閉検出部４０は、開閉検出部４１と検出制御部４２とを有する。ドア開閉検出部４０には、既存の開閉センサを用いることができる。また、ドア開閉検出部４０は、電気錠３０に含まれる場合もある。
【００３９】
開閉検出部４１は、玄関ドアの開閉を検出すると、検出した結果をドア開閉検出信号として検出制御部４２に送信する。開閉検出部４１は、玄関ドアの開閉の検出を示すドア開閉検出信号である開検出信号または閉検出信号を、検出制御部４２に送信する。開検出信号は、玄関ドアの開閉状態が「閉」状態から「開」状態に変化した旨、すなわち閉じられている玄関ドアが開かれた旨を示すドア開閉検出信号である。閉検出信号は、玄関ドアの開閉状態が「開」状態から「閉」状態に変化した旨、すなわち開かれている玄関ドアが閉じられた旨を示すドア開閉検出信号である。
【００４０】
検出制御部４２は、開閉検出部４１の制御、および連携制御装置５０の連携制御部５１へのドア開閉検出信号の送信を含む、ドア開閉検出部４０の全体の動作を制御する。
【００４１】
検出制御部４２は、例えば、図３に示したハードウェア構成の処理回路として実現される。検出制御部４２が図３に示す処理回路により実現される場合、検出制御部４２は、プロセッサ１０１がメモリ１０２に記憶されたプログラムを実行することにより、実現される。また、複数のプロセッサおよび複数のメモリが連携して上記機能を実現してもよい。また、検出制御部４２の機能のうちの一部を電子回路として実装し、他の部分をプロセッサ１０１およびメモリ１０２を用いて実現するようにしてもよい。
【００４２】
連携制御装置５０は、レンジフードファン１０、熱交換換気装置２０、電気錠３０、およびドア開閉検出部４０と、建物内通信ライン７０を介して通信可能とされており、これらの各機器の状態を示す状態情報を取得することができる。また、連携制御装置５０は、無線通信により操作端末装置６０と通信可能とされている。連携制御装置５０は、連携制御部５１と、通信部５２とを有する。
【００４３】
連携制御部５１は、レンジフードファン１０、熱交換換気装置２０、電気錠３０およびドア開閉検出部４０から取得した状態情報に基づいて、換気装置の運転状態を変更する制御を行う連携制御機能を有する。連携制御部５１は、電気錠３０の状態変化を検出し、レンジフードファン１０および熱交換換気装置２０の運転状態を変更する制御を行う連携制御機能を有する。すなわち、連携制御部５１は、電気錠３０が電気錠状態信号を電気錠３０から取得し、該電気錠状態信号に基づいて、換気装置の運転を変更することにより、換気装置における排気運転による建物内の空気の負圧状態を一時的に解消または弱める制御を行う。また、連携制御部５１は、連携制御装置５０の全体の動作を制御する。
【００４４】
連携制御部５１は、例えば、図３に示したハードウェア構成の処理回路として実現される。連携制御部５１が図３に示す処理回路により実現される場合、連携制御部５１は、プロセッサ１０１がメモリ１０２に記憶されたプログラムを実行することにより、実現される。また、複数のプロセッサおよび複数のメモリが連携して上記機能を実現してもよい。また、連携制御部５１の機能のうちの一部を電子回路として実装し、他の部分をプロセッサ１０１およびメモリ１０２を用いて実現するようにしてもよい。
【００４５】
通信部５２は、無線通信により操作端末装置６０と通信を行う。また、連携制御装置５０は、通信部５２がインターネットなどの通信ネットワークに接続することにより、レンジフードファン１０、熱交換換気装置２０、電気錠３０およびドア開閉検出部４０の各機器の動作状態の確認および制御操作を建物外において行うことができる。
【００４６】
操作端末装置６０は、たとえば携帯電話またはタブレットなどの携帯機器である。操作端末装置６０は、レンジフードファン１０および熱交換換気装置２０の、運転、停止または風量の調整などの操作を行うための指示情報が入力され、該指示情報を連携制御装置５０に送信する機能を有する。また、操作端末装置６０は、レンジフードファン１０、熱交換換気装置２０、電気錠３０およびドア開閉検出部４０の各機器の動作状態または運転状態を表示する機能を有する。そして、操作端末装置６０は、連携制御装置５０と無線通信を行うことにより、連携制御機能の実行を連携制御装置５０に設定または解除可能である。
【００４７】
操作端末装置６０は、入力部６１と、表示部６２と、通信部６３と、端末制御部６４とを有する。入力部６１と表示部６２と通信部６３と端末制御部６４とは、互いに通信可能とされている。
【００４８】
入力部６１は、使用者がレンジフードファン１０および熱交換換気装置２０の運転、停止または風量の調整などの操作を行うための指示情報を受け付ける。また、入力部６１は、使用者が連携制御機能の実行の設定または解除の操作を行うための指示情報を受け付ける。入力部６１は、受け付けた情報を端末制御部６４に送信する。
【００４９】
表示部６２は、レンジフードファン１０、熱交換換気装置２０、電気錠３０およびドア開閉検出部４０の各機器の動作状態または運転状態、および操作端末装置６０に入力された情報など、換気システム１の制御または監視に必要な各種情報を表示する表示手段である。
【００５０】
通信部６３は、連携制御装置５０との間で各種情報の通信を無線通信により行う。
【００５１】
端末制御部６４は、連携制御機能の実行を連携制御装置５０に設定または解除する連携指示情報を受信すると、通信部６３を介して該連携指示情報を連携制御装置５０に送信する制御を行う。また、端末制御部６４は、操作端末装置６０全体の動作を制御する。
【００５２】
つぎに、第１種換気システムである本実施の形態１にかかる換気システム１が一般家庭住宅に適用された場合の該換気システムの動作の例について説明する。図４は、本発明の実施の形態１にかかる換気システムの一般家庭住宅における構成例を示す図である。図４においては、熱交換換気装置２０によって常時換気、すなわち２４時間換気が行われている状態でレンジフードファン１０が運転を開始した状態を示している。図４において、矢印は空気の流れを示している。なお、図４においては、屋根および天井を透過して住宅を上から見た状態を模式的に示している。
【００５３】
住宅の１階のリビングダイニングキッチン２０１には、レンジフードファン１０が配置されている。以下では、リビングダイニングキッチン２０１をＬＤＫ２０１と記載する場合がある。レンジフードファン１０は、建物の外壁まで配設されて建物外に連通したダクトからなる第１排気風路部２１１の一端に接続されている。第１排気風路部２１１の他端は、建物の外壁に設けられた屋外排気口２２１に接続されている。また、ＬＤＫ２０１には、レンジフードファン操作スイッチ１２が配置されている。
【００５４】
また、レンジフードファン１０は、建物の外壁まで配設されて建物外に連通したダクトからなる第１給気風路部２１２の一端に接続されている。第１給気風路部２１２の他端は、建物の外壁に設けられた屋外給気口２２２に接続されている。なお、第１給気風路部２１２からの給気は、第１排気風路部２１１へは流れない。
【００５５】
住宅の１階の洗面所２０２の天井裏には、熱交換換気装置２０が配置されている。熱交換換気装置２０は、建物の外部まで配設されて建物外に連通したダクトからなる第２排気風路部２１３の一端に接続されている。第２排気風路部２１３の他端は、建物の外壁に設けられた屋外排気口２２３に接続されている。また、熱交換換気装置２０は、浴室２０３まで配設されて該浴室に連通したダクトからなる第３排気風路部２１４の一端に接続されている。第３排気風路部２１４の他端は、浴室２０３の天井設けられた浴室排気口２２４に接続されている。
【００５６】
また、熱交換換気装置２０は、トイレ２０４まで配設されて該トイレ２０４に連通したダクトからなる第４排気風路部２１５の一端に接続されている。第４排気風路部２１５の他端は、トイレ２０４の天井設けられたトイレ排気口２２５に接続されている。また、熱交換換気装置２０は、建物の外部まで配設されて建物外に連通したダクトからなる第２給気風路部２１６の一端に接続されている。第２給気風路部２１６の他端は、建物の外壁に設けられた屋外給気口２２６に接続されている。
【００５７】
また、熱交換換気装置２０は、ＬＤＫ２０１および他の室内である第１洋室２０５、第２洋室２０６、和室２０７まで配設されて該ＬＤＫ２０１および他の室内に連通したダクトからなる第３給気風路部２１７の一端に接続されている。第３給気風路部２１７の他端は、ＬＤＫ２０１および他の室内である第１洋室２０５、第２洋室２０６、和室２０７に設けられた室内給気口２２７に接続されている。
【００５８】
玄関２０９に設けられた玄関ドア２０８には、電気錠３０およびドア開閉検出部４０が取り付けられている。玄関ドア２０８は、屋外に通じる外開きのドアである。また、ＬＤＫ２０１には、連携制御装置５０および移動可能な操作端末装置６０が配置されている。なお、図４においては建物内通信ライン７０の図示を省略している。
【００５９】
つぎに、図４に示すように構成される換気システムの動作について説明する。図５は、図４に示す換気システム１の動作の手順を示すフローチャートである。図５では、換気システム１におけるレンジフードファン１０と電気錠３０との連携処理の動作について示している。
【００６０】
まず、ステップＳ１０において、連携制御装置５０の連携制御部５１は、レンジフードファン１０と電気錠３０との連携制御機能を設定する。すなわち、熱交換換気装置２０が常時換気、すなわち２４時間換気を実施している状態で、レンジフードファン１０と電気錠３０との連携制御機能の設定を指示する旨の連携設定情報が、居住者により操作端末装置６０の入力部６１に入力される。操作端末装置６０の入力部６１は、連携設定情報を受け付けると、該連携設定情報を操作端末装置６０の端末制御部６４に送信する。端末制御部６４は、連携設定情報を受信すると、操作端末装置６０の通信部６３を介して該連携指示情報を連携制御装置５０の連携制御部５１に送信する。そして、連携制御装置５０の連携制御部５１は、連携指示情報を受信すると、レンジフードファン１０と電気錠３０との連携設定情報を設定する。
【００６１】
つぎに、ステップＳ２０において、連携制御装置５０の連携制御部５１は、電気錠３０が「施錠」状態であるか否かを判定する。連携制御装置５０の連携制御部５１は、電気錠３０から送信される電気錠状態信号に基づいて、電気錠３０が「施錠」状態であるか否かを判定する。連携制御部５１は、電気錠３０から電気錠状態信号として施錠状態信号または解錠状態信号を受信している。連携制御部５１は、施錠状態信号を受信している場合には、電気錠３０が「施錠」状態であると判定する。連携制御装置５０は、解錠状態信号を受信している場合には、電気錠３０が「施錠」状態である、すなわち電気錠３０が「施錠」状態ではないと判定する。
【００６２】
電気錠３０が「施錠」状態でない場合、すなわちステップＳ２０においてＮｏの場合は、連携制御部５１は、ステップＳ２０を繰り返す。
【００６３】
電気錠３０が「施錠」状態である場合、すなわちステップＳ２０においてＹｅｓの場合は、連携制御部５１は、ステップＳ３０において、レンジフードファン１０が運転中であるか否かを判定する。連携制御部５１は、レンジフードファン１０から運転状態信号として、レンジフードファン運転開始信号またはレンジフードファン運転停止信号を受信して記憶している。連携制御部５１は、最新の運転状態信号としてレンジフードファン運転開始信号を受信している場合、すなわち直近に受信した運転状態信号がレンジフードファン運転開始信号である場合には、レンジフードファン１０が運転中であると判定する。連携制御部５１は、最新の運転状態信号としてレンジフードファン運転停止信号を受信している場合には、レンジフードファン１０が停止中である、すなわちレンジフードファン１０が運転中ではないと判定する。
【００６４】
レンジフードファン１０が運転中ではない場合、すなわちステップＳ３０においてＮｏの場合は、連携制御部５１は、ステップＳ２０に戻る。
【００６５】
レンジフードファン１０が運転中である場合、すなわちステップＳ３０においてＹｅｓの場合は、ステップＳ４０において、連携制御部５１は、電気錠３０の状態が「施錠」から「解錠」へ変化したか否かを判定する。すなわち、連携制御部５１は、電気錠３０から最新の電気錠状態信号として解錠状態信号を受信したか否かを判定する。連携制御部５１は、最新の電気錠状態信号として解錠状態信号を受信している場合に、電気錠３０の状態が「施錠」から「解錠」へ変化したと判定する。
【００６６】
連携制御部５１は、ステップＳ２０において、電気錠３０が「施錠」状態であると判定している。したがって、連携制御部５１は、ステップＳ２０以降に電気錠３０から電気錠状態信号として解錠状態信号を受信している場合には、電気錠３０の状態が「施錠」から「解錠」へ変化したと判定する。これにより、連携制御部５１において、電気錠３０の状態が「施錠」から「解錠」へ変化したことが検出される。一方、連携制御部５１は、ステップＳ２０以降に電気錠３０から電気錠状態信号として解錠状態信号を受信していない場合には、電気錠３０の状態が「施錠」から「解錠」へ変化していないと判定する。
【００６７】
電気錠３０の状態が「施錠」から「解錠」へ変化していない場合、すなわちステップＳ４０においてＮｏの場合は、連携制御部５１は、ステップＳ２０に戻る。
【００６８】
電気錠３０の状態が「施錠」から「解錠」へ変化した場合、すなわちステップＳ４０においてＹｅｓの場合は、ステップＳ５０において連携制御部５１は、レンジフードファン１０を一時的に停止させる制御を行う。すなわち、連携制御部５１は、レンジフードファン１０を一時的に停止させるために、レンジフードファン１０の停止を指示する旨の停止指示信号であるレンジフードファン停止指示信号を、連携制御装置５０の通信部５２を介してレンジフードファン１０の制御部１３に送信する制御を行う。
【００６９】
レンジフードファン１０の制御部１３は、レンジフードファン停止指示信号を受信すると、該レンジフードファン停止指示信号に基づいて、レンジフードファン１０を停止させる。すなわち、レンジフードファン１０の制御部１３は、レンジフードファン停止指示信号に基づいて排気部１１を停止させて、排気運転を停止させる。
【００７０】
また、ステップＳ４０において電気錠３０の状態が「施錠」から「解錠」へ変化したと判定された後に、玄関ドア２０８が開かれる。玄関ドア２０８が開かれると、ドア開閉検出部４０の開閉検出部４１が、玄関ドア２０８の開閉状態を検出し、ドア開閉検出信号として開検出信号をドア開閉検出部４０の検出制御部４２に送信する。検出制御部４２は、開閉検出部４１から受信した開検出信号を連携制御装置５０の連携制御部５１に送信する。そして、連携制御装置５０の連携制御部５１は、受信した開検出信号を記憶する。
【００７１】
ここで、気密性が高い住宅においてレンジフードファン１０による局所換気が実施されている場合には、建物外から室内すなわち建物内に空気を取り込む給気が不足し、建物内の空気の圧力が負圧となる。建物内の空気の圧力が負圧となると、玄関ドアが開けられない、玄関ドアが開けにくい、といった状態となる。特に、集合住宅などの超高気密住宅ではこの傾向が顕著である。
【００７２】
そこで、本実施の形態１においては、連携制御部５１は、レンジフードファン１０の運転中に電気錠３０の状態が「施錠」から「解錠」へ変化したか否かを判定する。そして、連携制御部５１は、レンジフードファン１０の運転中に電気錠３０の状態が「施錠」から「解錠」へ変化したことを検出した場合に、局所換気として運転しているレンジフードファン１０の運転を一時的に停止させる。これにより、レンジフードファン１０の運転による建物内の空気の負圧状態を一時的に解消し、玄関ドア２０８を開け易くすることができる。
【００７３】
また、玄関には換気装置のようにフィルターはないため、建物外の空気が大量に建物内に流入する場合には、ＰＭ（Particulate  Matter）２．５などの微小粒子状物質および花粉といった微粒子が建物内への流入してしまう。レンジフードファン１０の運転による建物内の空気の負圧状態を一時的に解消することにより、建物内の空気の負圧状態に起因して、玄関ドア２０８が開かれた玄関２０９から建物外の空気が大量に建物内に流入することを防止できる。すなわち、レンジフードファン１０の運転による建物内の空気の負圧状態を一時的に解消することにより、建物内と建物外との気圧差に起因して、玄関２０９から建物外の空気が大量に建物内に流入することを防止できる。これにより、レンジフードファン１０の運転に起因して玄関２０９から建物外の空気が大量に建物内に流入することによる、ＰＭ２．５などの微小粒子状物質および花粉といった微粒子の建物内への流入を防止することができる。
【００７４】
つぎに、ステップＳ６０において、連携制御装置５０の連携制御部５１は、玄関ドア２０８の開閉状態が「開」状態から「閉」状態へ変化したか否かを判定する。連携制御装置５０の連携制御部５１は、ドア開閉検出部４０の開閉検出部４１から送信される閉検出信号に基づいて、玄関ドア２０８の開閉状態が「開」状態から「閉」状態へ変化したか否かを判定する。すなわち、連携制御部５１は、ドア開閉検出部４０の開閉検出部４１から最新のドア開閉検出信号として閉検出信号を受信したか否かを判定する。連携制御部５１は、最新のドア開閉検出信号として閉検出信号を受信している場合に、玄関ドア２０８の開閉状態が「開」状態から「閉」状態へ変化したと判定する。
【００７５】
連携制御部５１は、上述したようにドア開閉検出部４０の開閉検出部４１からドア開閉検出信号として開検出信号を受信して記憶している。連携制御部５１は、開検出信号を受信して記憶している状態で、ドア開閉検出部４０の開閉検出部４１から最新のドア開閉検出信号として閉検出信号を受信した場合に、玄関ドア２０８の開閉状態が「開」状態から「閉」状態へ変化したと判定する。これにより、連携制御部５１において、玄関ドア２０８の開閉状態が「開」状態から「閉」状態へ変化したことが検出される。
【００７６】
一方、連携制御部５１は、開検出信号を受信して記憶している状態で、ドア開閉検出部４０の開閉検出部４１から最新のドア開閉検出信号として閉検出信号を受信していない場合には、玄関ドア２０８の開閉状態が「開」状態から「閉」状態へ変化していないと判定する。
【００７７】
玄関ドア２０８の開閉状態が「開」状態から「閉」状態へ変化していない場合、すなわちステップＳ６０においてＮｏの場合は、連携制御部５１は、ステップＳ６０を繰り返す。
【００７８】
玄関ドア２０８の開閉状態が「開」状態から「閉」状態へ変化した場合、すなわちステップＳ６０においてＹｅｓの場合は、ステップＳ７０において連携制御装置５０の連携制御部５１は、停止しているレンジフードファン１０を元の運転状態に戻す制御を行う。すなわち、連携制御部５１は、一時的に停止させているレンジフードファン１０を再び運転状態に戻すために、連携制御装置５０の通信部５２を介して、レンジフードファン１０の運転の元の状態への復帰を指示する旨の運転復帰信号をレンジフードファン１０の制御部１３に送信する制御を行う。
【００７９】
レンジフードファン１０の制御部１３は、運転復帰信号を受信すると、該運転復帰信号に基づいて、レンジフードファン１０を運転させる。すなわち、レンジフードファン１０の制御部１３は、運転復帰信号に基づいて排気部１１を動作させて、排気運転を再開させる。
【００８０】
その後、連携制御装置５０の連携制御部５１は、ステップＳ２０に戻って処理を繰り返す。
【００８１】
なお、ステップＳ４０における判定方法は、上記の方法に限定されない。たとえば電気錠３０の状態が「施錠」から「解錠」へ変化した場合に、電気錠３０から連携制御装置５０の連携制御部５１に対して、状態変化信号として電気錠３０の状態が「施錠」から「解錠」へ変化した旨の解錠変化信号を送信してもよい。この場合には、連携制御装置５０の連携制御部５１は、最新の状態変化信号として解錠変化信号を受信している場合に、電気錠３０の状態が「施錠」から「解錠」へ変化したと判定する。
【００８２】
また、上記においてはステップＳ５０においてレンジフードファン１０を一時的に停止させる場合について説明したが、レンジフードファン１０を一時的に停止させる代わりにステップＳ５０においてレンジフードファン１０の運転を一時的に弱い運転モードに切り替えてレンジフードファン１０の排気運転を一時的に弱めてもよい。レンジフードファン１０の排気部１１は、排気風量を数段階に切り替えて運転可能である。この場合には、レンジフードファン１０の運転を、現在のレンジフードファン１０の運転モードよりも排気風量が少ない、現在のレンジフードファン１０の運転モードよりも弱い運転モードに変更して、レンジフードファン１０の排気運転を一時的に弱めてもよい。
【００８３】
この場合は、連携制御装置５０の連携制御部５１は、ステップＳ５０において、レンジフードファン１０の排気運転を一時的に弱める制御を行う。すなわち、連携制御部５１は、現在のレンジフードファン１０の運転モードよりも排気風量が少ない弱運転のモードへの切り替えを指示する旨の弱運転指示信号であるレンジフードファン弱運転指示信号を、建物内通信ライン７０を介してレンジフードファン１０の制御部１３に送信する制御を行う。
【００８４】
レンジフードファン１０の制御部１３は、レンジフードファン弱運転指示信号を受信すると、該レンジフードファン弱運転指示信号に基づいて、局所換気として運転しているレンジフードファン１０の排気部１１の運転を現在のレンジフードファン１０の運転モードよりも排気風量が少ない、現在のレンジフードファン１０の運転モードよりも弱い運転モードに切り替えてレンジフードファン１０の排気運転を一時的に弱める。これにより、建物内の空気の負圧状態を一時的に弱め、玄関ドア２０８を開け易くすることができる。
【００８５】
また、レンジフードファン１０の運転による建物内の空気の負圧状態を一時的に弱めることにより、建物内の空気の負圧状態に起因して、ドアが開かれた玄関から建物外の空気が大量に建物内に流入することを抑制できる。すなわち、レンジフードファン１０の運転による建物内の空気の負圧状態を一時的に弱めることにより、建物内と建物外との気圧差に起因して、玄関２０９から建物外の空気が大量に建物内に流入することを抑制できる。これにより、レンジフードファン１０の運転に起因して玄関２０９から建物外の空気が大量に建物内に流入することによる、ＰＭ２．５などの微小粒子状物質および花粉といった微粒子の建物内への流入を抑制することができる。
【００８６】
また、上記においてはレンジフードファン１０と、熱交換換気装置２０と、電気錠３０と、ドア開閉検出部４０と、連携制御装置５０とが、建物内通信ライン７０を介して通信可能とされた場合について示したが、これらの各構成部が無線通信により通信可能とされてもよい。
【００８７】
上述したように、本実施の形態１にかかる換気システム１は、レンジフードファン１０の運転中に電気錠３０が「施錠」から「解錠」に変化したことを検出した場合に、レンジフードファン１０の運転を瞬時に停止することで、レンジフードファン１０の運転による建物内の空気の負圧状態を一時的に解消する。これにより、換気システム１は、レンジフードファン１０の運転に起因して建物内の空気が負圧状態となっていた場合でも、玄関ドア２０８を開け易くすることができる。また、玄関ドア２０８以外の、建物において屋外に通じる外開きのドアについても同様に開け易くすることができる。また、換気システム１は、レンジフードファン１０の運転による建物内の空気の負圧状態を一時的に解消することにより、レンジフードファン１０の運転による建物内の空気の負圧状態に起因した微粒子の建物内への流入を防止することができる。
【００８８】
また、本実施の形態１にかかる換気システム１は、レンジフードファン１０の運転中に電気錠３０が「施錠」から「解錠」に変化したことを検出した場合に、レンジフードファン１０の運転を現在の運転モードよりも排気風量の少ない運転に瞬時に切り替えることで、レンジフードファン１０の運転による建物内の空気の負圧状態を一時的に弱める。これにより、換気システム１は、レンジフードファン１０の運転に起因して建物内の空気が負圧状態となっていた場合でも、玄関ドア２０８を開け易くすることができる。また、換気システム１は、レンジフードファン１０の運転による建物内の空気の負圧状態を一時的に弱めることにより、レンジフードファン１０の運転による建物内の空気の負圧状態に起因した微粒子の建物内への流入を抑制することができる。
【００８９】
したがって、本実施の形態１にかかる換気システム１は、建物内において局所換気が実施されている場合でも建物において屋外に通じる外開きのドアであるを開け易く、また局所換気に起因した建物外からの微粒子の侵入を防止または抑制することが可能な換気システムを提供することができる。
【００９０】
実施の形態２．
実施の形態１では、レンジフードファン１０による局所換気の実施中における換気システム１の連携制御機能について説明した。実施の形態２では、図４に示すように換気システム１が一般家庭住宅に適用された場合における、熱交換換気装置２０による局所換気の実施中における換気システム１の連携制御機能について説明する。図６は、図４に示す換気システム１の他の動作の手順を示すフローチャートである。図６では、換気システム１における熱交換換気装置２０と電気錠３０との連携処理の動作について示している。
【００９１】
まず、実施の形態１の場合と同様にステップＳ１０およびステップＳ２０が行われる。電気錠３０が「施錠」状態でない場合、すなわちステップＳ２０においてＮｏの場合は、連携制御部５１は、ステップＳ２０を繰り返す。
【００９２】
電気錠３０が「施錠」状態である場合、すなわちステップＳ２０においてＹｅｓの場合は、連携制御部５１は、ステップＳ１１０において、熱交換換気装置２０が急速排気運転中であるか否かを判定する。連携制御部５１は、熱交換換気装置２０から運転状態信号として、２４時間換気運転開始信号または急速排気運転開始信号を受信して記憶している。連携制御部５１は、最新の運転状態信号として急速排気運転開始信号を受信している場合には、熱交換換気装置２０が急速排気運転中であると判定する。連携制御部５１は、最新の運転状態信号として２４時間換気運転開始信号を受信している場合には、熱交換換気装置２０が２４時間換気運転中である、すなわち急速排気運転中ではないと判定する。
【００９３】
熱交換換気装置２０が急速排気運転中ではない場合、すなわちステップＳ１１０においてＮｏの場合は、連携制御部５１は、ステップＳ２０に戻る。
【００９４】
熱交換換気装置２０が急速排気運転中である場合、すなわちステップＳ１１０においてＹｅｓの場合は、連携制御部５１は、ステップＳ４０を実行する。
【００９５】
電気錠３０の状態が「施錠」から「解錠」へ変化していない場合、すなわちステップＳ４０においてＮｏの場合は、連携制御部５１は、ステップＳ２０に戻る。
【００９６】
電気錠３０の状態が「施錠」から「解錠」へ変化した場合、すなわちステップＳ４０においてＹｅｓの場合は、ステップＳ１２０において連携制御部５１は、熱交換換気装置２０の運転を急速排気運転から２４時間換気運転に切り替えて熱交換換気装置２０の給気風量と排気風量とを同一とする制御を行う。すなわち、連携制御部５１は、熱交換換気装置２０の運転を２４時間換気運転に切り替えるために、２４時間換気運転の実行を指示する旨の２４時間換気運転指示信号を、連携制御装置５０の通信部５２を介して熱交換換気装置２０の制御部２５に送信する制御を行う。
【００９７】
熱交換換気装置２０の制御部２５は、２４時間換気運転指示信号を受信すると、該２４時間換気運転指示信号に基づいて、換気運転を急速排気運転から２４時間換気運転に切り替える。これにより、熱交換換気装置２０の急速排気運転に起因した建物内の空気の負圧を解消することができる。
【００９８】
また、ステップＳ４０において電気錠３０の状態が「施錠」から「解錠」へ変化したと判定された後に、玄関ドア２０８が開かれる。玄関ドア２０８が開かれると、実施の形態１の場合と同様に、ドア開閉検出部４０の開閉検出部４１が玄関ドア２０８の開閉状態を検出し、開検出信号が連携制御装置５０の連携制御部５１に送信される。そして、連携制御装置５０の連携制御部５１は、受信した開検出信号を記憶する。
【００９９】
本実施の形態２においては、連携制御部５１は、熱交換換気装置２０の急速排気運転中に電気錠３０の状態が「施錠」から「解錠」へ変化したか否かを判定する。そして、連携制御部５１は、熱交換換気装置２０の急速排気運転中に電気錠３０の状態が「施錠」から「解錠」へ変化したことを検出した場合に、局所換気として運転している急速排気運転を２４時間換気運転に切り替える。これにより、熱交換換気装置２０の急速排気運転による建物内の空気の負圧状態を一時的に解消し、玄関ドア２０８を開け易くすることができる。
【０１００】
また、熱交換換気装置２０の急速排気運転の運転による建物内の空気の負圧状態を一時的に解消することにより、建物内の空気の負圧状態に起因して、玄関ドア２０８が開かれた玄関２０９から建物外の空気が大量に建物内に流入することを防止できる。すなわち、熱交換換気装置２０の急速排気運転による建物内の空気の負圧状態を一時的に解消することにより、建物内と建物外との気圧差に起因して、玄関２０９から建物外の空気が大量に建物内に流入することを防止できる。これにより、熱交換換気装置２０の急速排気運転に起因して玄関２０９から建物外の空気が大量に建物内に流入することによる、ＰＭ２．５などの微小粒子状物質および花粉といった微粒子の建物内への流入を防止することができる。
【０１０１】
つぎに、実施の形態１の場合と同様にステップＳ６０が行われる。玄関ドア２０８の開閉状態が「開」状態から「閉」状態へ変化していない場合、すなわちステップＳ６０においてＮｏの場合は、連携制御部５１は、ステップＳ６０を繰り返す。
【０１０２】
玄関ドア２０８の開閉状態が「開」状態から「閉」状態へ変化した場合、すなわちステップＳ６０においてＹｅｓの場合は、ステップＳ１３０において連携制御装置５０の連携制御部５１は、熱交換換気装置２０の運転状態を元の運転状態に戻す制御を行う。すなわち、連携制御部５１は、熱交換換気装置２０の運転を再び急速排気運転に戻すために、連携制御装置５０の通信部５２を介して、熱交換換気装置２０の運転の元の状態への復帰を指示する旨の運転復帰信号を熱交換換気装置２０の制御部２５に送信する制御を行う。
【０１０３】
熱交換換気装置２０の制御部２５は、運転復帰信号を受信すると、該運転復帰信号に基づいて、熱交換換気装置２０の運転を２４時間換気運転から急速排気運転に切り替える。
【０１０４】
その後、連携制御装置５０の連携制御部５１は、ステップＳ２０に戻って処理を繰り返す。
【０１０５】
また、上記においてはステップＳ１２０において熱交換換気装置２０の運転を急速排気運転から２４時間換気運転に切り替える場合について説明したが、２４時間換気運転に切り替える代わりにステップＳ１２０において熱交換換気装置２０の運転を、現在の急速排気運転よりも排気風量が少なく、２４時間換気運転よりも排気風量が多い、弱排気運転に切り替えて熱交換換気装置２０の排気運転を一時的に弱めてもよい。この場合は、連携制御装置５０の連携制御部５１は、ステップＳ１２０において、熱交換換気装置２０の急速排気運転を一時的に弱める制御を行う。すなわち、連携制御部５１は、弱排気運転への切り替えを指示する旨の弱排気運転指示信号を熱交換換気装置２０の制御部２５に送信する制御を行う。
【０１０６】
熱交換換気装置２０の制御部２５は、弱排気運転指示信号を受信すると、該弱排気運転指示信号に基づいて、局所換気として運転している熱交換換気装置２０の急速排気運転を弱排気運転に切り替えて熱交換換気装置２０の排気運転を一時的に弱める。これにより、建物内の空気の負圧を一時的に低減させて、負圧状態を一時的に弱めることができ、玄関ドア２０８を開け易くすることができる。
【０１０７】
また、熱交換換気装置２０の急速排気運転による建物内の空気の負圧状態を一時的に弱めることにより、建物内の空気の負圧状態に起因して、玄関ドア２０８が開かれた玄関２０９から建物外の空気が大量に建物内に流入することを抑制できる。すなわち、熱交換換気装置２０の急速排気運転による建物内の空気の負圧状態を一時的に弱めることにより、建物内と建物外との気圧差に起因して、玄関２０９から建物外の空気が大量に建物内に流入することを抑制できる。これにより、熱交換換気装置２０の急速排気運転に起因して玄関２０９から建物外の空気が大量に建物内に流入することによる、ＰＭ２．５などの微小粒子状物質および花粉といった微粒子の建物内への流入を抑制することができる。
【０１０８】
上述したように、本実施の形態２によれば、熱交換換気装置２０の急速排気運転中に電気錠３０が「施錠」から「解錠」に変化したことを検出した場合に、熱交換換気装置２０の運転を２４時間換気運転または弱排気運転に切り替える。これにより、換気システム１は、熱交換換気装置２０の急速排気運転による建物内の空気の負圧状態を一時的に解消または弱めることができ、実施の形態１の場合と同様の効果が得られる。
【０１０９】
実施の形態３．
図７は、本発明の実施の形態３にかかる換気システム２の構成を示すブロック図である。図８は、本発明の実施の形態３にかかる換気システム２の各構成の機能構成を示すブロック図である。換気システム２は、第３種換気システムであり、実施の形態１にかかる換気システム１において熱交換換気装置２０の代わりに換気装置であるサニタリー排気装置８０を備える。すなわち、換気システム２は、レンジフードファン１０と、サニタリー排気装置８０と、電気錠３０と、ドア開閉検出部４０と、連携制御装置５０と、操作端末装置６０と、建物内通信ライン７０と、を備える。レンジフードファン１０と、サニタリー排気装置８０と、電気錠３０と、ドア開閉検出部４０と、連携制御装置５０とは、建物内通信ライン７０を介した有線通信により通信可能とされている。
【０１１０】
サニタリー排気装置８０は、換気装置であり、建物内における複数のサニタリーゾーンの空気の排気を行う換気装置である。ここで、サニタリーゾーンとは、キッチンを除いた、トイレ、浴室または洗面所などの、衛生のための設備を持つスペースを意味する。サニタリー排気装置８０は、たとえば建物の屋根裏または各階の天井裏などの室内以外のスペースに配置される。
【０１１１】
サニタリー排気装置８０は、建物の外部まで配設されて建物外に連通したダクトからなる第５排気風路部の一端に接続されている。第５排気風路部の他端は、建物の外壁に設けられた屋外排気口に接続されている。また、サニタリー排気装置８０は、洗面所まで配設されて該洗面所に連通したダクトからなる第６排気風路部の一端に接続されている。第６排気風路部の他端は、洗面所の天井に設けられた洗面所排気口に接続されている。
【０１１２】
また、サニタリー排気装置８０は、浴室まで配設されて該浴室に連通したダクトからなる第７排気風路部の一端に接続されている。第７排気風路部の他端は、浴室の天井に設けられた浴室排気口に接続されている。また、サニタリー排気装置８０は、トイレまで配設されて該トイレに連通したダクトからなる第８排気風路部の一端に接続されている。第８排気風路部の他端は、トイレの天井に設けられた室内排気口に接続されている。
【０１１３】
サニタリー排気装置８０は、排気部８１と、サニタリー排気装置操作スイッチ８２と制御部８３とを有する。排気部８１は、送風機を備えて排気を実行する。サニタリー排気装置操作スイッチ８２は、居住者がサニタリー排気装置８０の運転、停止または風量の調整などの操作を行うための指示情報を入力するスイッチであり、サニタリーゾーンの任意の部屋に配置される。サニタリー排気装置８０は、サニタリー排気装置操作スイッチ８２を操作することによって、または連携制御装置５０の指示信号に基づいて、排気風量を数段階に切り替えて運転可能である。
【０１１４】
制御部８３は、サニタリー排気装置８０の運転状態を示す運転状態信号としてのサニタリー排気運転開始信号およびサニタリー排気運転停止信号の送信を含む、サニタリー排気装置８０の全体の処理を制御する。制御部８３は、サニタリー排気装置８０の運転が開始されると、該サニタリー排気装置８０が運転を開始した旨を通知する信号であるサニタリー排気運転開始信号を、建物内通信ライン７０を介して連携制御装置５０の連携制御部５１に送信する。制御部８３は、排気部８１が運転を開始すると同時に、サニタリー排気運転開始信号を送信する。
【０１１５】
また、制御部８３は、サニタリー排気装置８０の運転が停止すると、サニタリー排気装置８０が運転を停止した旨を通知する信号であるサニタリー排気運転停止信号を、建物内通信ライン７０を介して連携制御装置５０の連携制御部５１に送信する。制御部８３は、サニタリー排気装置８０が運転を停止すると同時に、サニタリー排気運転停止信号を送信する。
【０１１６】
制御部８３は、例えば、図３に示したハードウェア構成の処理回路として実現される。制御部８３が図３に示す処理回路により実現される場合、制御部８３は、プロセッサ１０１がメモリ１０２に記憶されたプログラムを実行することにより、実現される。また、複数のプロセッサおよび複数のメモリが連携して上記機能を実現してもよい。また、制御部８３の機能のうちの一部を電子回路として実装し、他の部分をプロセッサ１０１およびメモリ１０２を用いて実現するようにしてもよい。
【０１１７】
上記のように構成されたサニタリー排気装置８０は、第３種換気設備であり、排気部８１が有する送風機による機械換気を行って屋外排気口から排気を行う。また、サニタリー排気装置８０における給気は、排気によって室内の空気が負圧になることより、自然に屋外給気口から外気が流入する自然給気により行われる。
【０１１８】
つぎに、第３種換気システムである本実施の形態３にかかる換気システム２が一般家庭住宅に適用された場合の該換気システム２の動作の例について説明する。図９は、本発明の実施の形態３にかかる換気システム２の一般家庭住宅における構成例を示す図である。図９においては、レンジフードファン１０が停止している状態でサニタリー排気装置８０が急速排気運転を開始した状態を示している。図９において、矢印は空気の流れを示している。なお、図９においては、屋根および天井を透過して住宅を上から見た状態を模式的に示している。
【０１１９】
住宅の１階の浴室２０３の天井裏には、サニタリー排気装置８０が配置されている。サニタリー排気装置８０は、建物の外部まで配設されて建物外に連通したダクトからなる第５排気風路部３０１の一端に接続されている。第５排気風路部３０１の他端は、建物の外壁に設けられた屋外排気口３１１に接続されている。また、サニタリー排気装置８０は、洗面所２０２まで配設されて該洗面所２０２に連通したダクトからなる第６排気風路部３０２の一端に接続されている。第６排気風路部３０２の他端は、洗面所２０２の天井に設けられた洗面所排気口３１２に接続されている。
【０１２０】
また、サニタリー排気装置８０は、浴室２０３まで配設されて該浴室２０３に連通したダクトからなる第７排気風路部３０３の一端に接続されている。第７排気風路部３０３の他端は、浴室２０３の天井に設けられた浴室排気口３１３に接続されている。また、サニタリー排気装置８０は、トイレ２０４まで配設されて該トイレ２０４に連通したダクトからなる第８排気風路部３０４の一端に接続されている。第８排気風路部３０４の他端は、トイレ２０４の天井に設けられたトイレ排気口３１４に接続されている。
【０１２１】
また、ＬＤＫ２０１および他の室内である第１洋室２０５、第２洋室２０６、和室２０７の壁には、建物内に２４時間、給気をするための自然給気口３１５が設置されている。自然給気口３１５は、サニタリー排気装置８０の排気により建物内の空気が負圧になると自然流入により屋外から空気を取り入れる。これにより、サニタリー排気装置８０による排気と自然給気口３１５からの給気との釣り合いが取られ、建物内の空気の圧力がほぼ大気圧になり、２４時間換気を行うことができる。すなわち、サニタリー排気装置８０による排気風量は、自然給気口３１５での給気が可能な風量で行われる。
【０１２２】
なお、レンジフードファン１０、電気錠３０およびドア開閉検出部４０の配置については、図４の場合と同様であるので詳細な説明を省略する。
【０１２３】
サニタリー排気装置８０は、浴室に設置された浴室排気口３１３から空気を吸い込んで屋外へ排出すると同時に、洗面所２０２に設置された洗面所排気口３１２およびトイレ２０４に設置されたトイレ排気口３１４から空気を吸い込んで屋外へ排出する。サニタリー排気装置８０は、トイレ、浴室、洗面所といったサニタリーゾーンにおいて、給気風量と排気風量とがほぼ同一となる常時換気、すなわち２４時間換気を行う。また、サニタリー排気装置８０は、トイレまたは浴室の使用後、臭気または湿気を速やかに排気するために、排気風量のみを２４時間換気よりも一時的に増加させて速やかな排気を実現する急速排気運転を行う急速排気運転機能を備えている。
【０１２４】
つぎに、図９に示すように構成される換気システム２の動作について説明する。図１０は、図９に示す換気システム２の動作の手順を示すフローチャートである。図１０では、換気システム２におけるサニタリー排気装置８０と電気錠３０との連携処理の動作について示している。
【０１２５】
まず、実施の形態１の場合と同様にステップＳ１０およびステップＳ２０が行われる。電気錠３０が「施錠」状態でない場合、すなわちステップＳ２０においてＮｏの場合は、連携制御部５１は、ステップＳ２０を繰り返す。
【０１２６】
電気錠３０が「施錠」状態である場合、すなわちステップＳ２０においてＹｅｓの場合は、連携制御部５１は、ステップＳ２１０において、サニタリー排気装置８０が急速排気運転中であるか否かを判定する。連携制御部５１は、サニタリー排気装置８０の制御部８３から運転状態信号として、２４時間換気運転開始信号または急速排気運転開始信号を受信して記憶している。連携制御部５１は、最新の運転状態信号として急速排気運転開始信号を受信している場合には、サニタリー排気装置８０が急速排気運転中であると判定する。連携制御部５１は、最新の運転状態信号として２４時間換気運転開始信号を受信している場合には、サニタリー排気装置８０が２４時間換気運転中である、すなわち急速排気運転中ではないと判定する。
【０１２７】
サニタリー排気装置８０が急速排気運転中ではない場合、すなわちステップＳ２１０においてＮｏの場合は、連携制御部５１は、ステップＳ２０に戻る。
【０１２８】
サニタリー排気装置８０が急速排気運転中である場合、すなわちステップＳ２１０においてＹｅｓの場合は、連携制御部５１は、ステップＳ４０を実行する。
【０１２９】
電気錠３０の状態が「施錠」から「解錠」へ変化していない場合、すなわちステップＳ４０においてＮｏの場合は、連携制御部５１は、ステップＳ２０に戻る。
【０１３０】
電気錠３０の状態が「施錠」から「解錠」へ変化した場合、すなわちステップＳ４０においてＹｅｓの場合は、ステップＳ２２０において連携制御部５１は、サニタリー排気装置８０を一時的に停止させる制御を行う。すなわち、連携制御部５１は、サニタリー排気装置８０を一時的に停止させるために、サニタリー排気装置８０の停止を指示する旨の停止指示信号を、連携制御装置５０の通信部５２を介してサニタリー排気装置８０の制御部８３に送信する制御を行う。
【０１３１】
サニタリー排気装置８０の制御部８３は、停止指示信号を受信すると、該停止指示信号に基づいて、サニタリー排気装置８０を停止させる。すなわち、サニタリー排気装置８０の制御部８３は、停止指示信号に基づいて排気部８１を停止させて、排気運転を停止させる。これにより、サニタリー排気装置８０の急速排気運転に起因した建物内の空気の負圧を解消することができる。
【０１３２】
また、ステップＳ４０において電気錠３０の状態が「施錠」から「解錠」へ変化したと判定された後に、玄関ドア２０８が開かれる。玄関ドア２０８が開かれると、実施の形態１の場合と同様に、ドア開閉検出部４０の開閉検出部４１が玄関ドア２０８の開閉状態を検出し、開検出信号が連携制御装置５０の連携制御部５１に送信される。そして、連携制御装置５０の連携制御部５１は、受信した開検出信号を記憶する。
【０１３３】
本実施の形態３においては、連携制御部５１は、サニタリー排気装置８０の急速排気運転中に電気錠３０の状態が「施錠」から「解錠」へ変化したか否かを判定する。そして、連携制御部５１は、サニタリー排気装置８０の急速排気運転中に電気錠３０の状態が「施錠」から「解錠」へ変化したことを検出した場合に、局所換気として運転している急速排気運転を一時的に停止する。これにより、サニタリー排気装置８０の急速排気運転による建物内の空気の負圧状態を一時的に解消し、玄関ドア２０８を開け易くすることができる。
【０１３４】
また、サニタリー排気装置８０の急速排気運転の運転による建物内の空気の負圧状態を一時的に解消することにより、建物内の空気の負圧状態に起因して、玄関ドア２０８が開かれた玄関２０９から建物外の空気が大量に建物内に流入することを防止できる。すなわち、サニタリー排気装置８０の急速排気運転による建物内の空気の負圧状態を一時的に解消することにより、建物内と建物外との気圧差に起因して、玄関２０９から建物外の空気が大量に建物内に流入することを防止できる。これにより、サニタリー排気装置８０の急速排気運転に起因して玄関２０９から建物外の空気が大量に建物内に流入することによる、ＰＭ２．５などの微小粒子状物質および花粉といった微粒子の建物内への流入を防止することができる。
【０１３５】
つぎに、実施の形態１の場合と同様にステップＳ６０が行われる。玄関ドア２０８の開閉状態が「開」状態から「閉」状態へ変化していない場合、すなわちステップＳ６０においてＮｏの場合は、連携制御部５１は、ステップＳ６０を繰り返す。
【０１３６】
玄関ドア２０８の開閉状態が「開」状態から「閉」状態へ変化した場合、すなわちステップＳ６０においてＹｅｓの場合は、ステップＳ２３０において連携制御装置５０の連携制御部５１は、サニタリー排気装置８０の運転状態を元の運転状態に戻す制御を行う。すなわち、連携制御部５１は、サニタリー排気装置８０の運転を再び急速排気運転に戻すために、連携制御装置５０の通信部５２を介して、サニタリー排気装置８０の運転の元の状態への復帰を指示する旨の運転復帰信号をサニタリー排気装置８０の制御部８３に送信する制御を行う。
【０１３７】
サニタリー排気装置８０の制御部８３は、運転復帰信号を受信すると、該運転復帰信号に基づいて排気部８１を動作させて、急速排気運転を再開させ、サニタリー排気装置８０を元の運転状態へ復帰させる。
【０１３８】
その後、連携制御装置５０の連携制御部５１は、ステップＳ２０に戻って処理を繰り返す。
【０１３９】
また、上記においてはステップＳ２２０においてサニタリー排気装置８０を一時的に停止させる場合について説明したが、ステップＳ２２０においてサニタリー排気装置８０の運転を一時的に急速排気運転から２４時間換気運転に切り替えてもよい。この場合は、連携制御部５１は、２４時間換気運転の実行を指示する旨の２４時間換気運転指示信号を、連携制御装置５０の通信部５２を介してサニタリー排気装置８０の制御部８３に送信する制御を行う。
【０１４０】
サニタリー排気装置８０の制御部８３は、２４時間換気運転指示信号を受信すると、該２４時間換気運転指示信号に基づいて、急速排気運転から２４時間換気運転に切り替える。これにより、サニタリー排気装置８０の急速排気運転に起因した建物内の空気の負圧を解消することができる。これにより、玄関ドア２０８を開け易くすることができ、また、サニタリー排気装置８０の急速排気運転に起因して玄関２０９から建物外の空気が大量に建物内に流入することによる、ＰＭ２．５などの微小粒子状物質および花粉といった微粒子の建物内への流入を抑制することができる。
【０１４１】
上述したように、本実施の形態３にかかる換気システム２は、サニタリー排気装置８０の急速排気運転中に電気錠３０が「施錠」から「解錠」に変化したことを検出した場合に、サニタリー排気装置８０の運転を一時停止させる。これにより、換気システム２は、サニタリー排気装置８０の急速排気運転による建物内の空気の負圧状態を一時的に解消または弱めることができる。
【０１４２】
したがって、本実施の形態３にかかる換気システム２は、建物内において局所換気が実施されている場合でも玄関ドアを開け易く、また局所換気に起因した建物外からの微粒子の侵入を防止または抑制することが可能な換気システムを提供することができる。
【０１４３】
実施の形態４．
図１１は、図４に示す換気システム１の他の動作の手順を示すフローチャートである。図１１では、換気システム１におけるレンジフードファン１０と電気錠３０との連携処理の動作について示している。図１１に示す換気システム１の動作の手順が、図５に示した換気システム１の動作の手順と異なる点は、ステップＳ７０でレンジフードファン１０を元の運転状態に戻すための条件であるステップとして、ステップＳ６０の代わりにステップＳ３１０を実施することである。
【０１４４】
ステップＳ３１０では、連携制御装置５０の連携制御部５１は、ステップＳ５０において電気錠３０の状態が「施錠」から「解錠」へ変化したことが検出されてから既定の一定時間：Ｔ秒の経過後に、レンジフードファン１０を元の運転状態に戻す制御を行う。すなわち、ステップＳ３１０でＹｅｓの場合は、連携制御部５１はステップＳ７０に進む。また、ステップＳ３１０でＮｏの場合は、連携制御部５１、ステップＳ３１０を繰り返す。ステップＳ３１０を実施することにより、いつまでも玄関ドア２０８の「閉」状態が検出されず、レンジフードファン１０の停止状態が続くことにより調理中の臭気が屋内に拡散することを抑制することが可能となる。
【０１４５】
また、実施の形態２または実施の形態３において、ステップＳ６０の代わりにステップＳ３１０を実施してもよい。
【０１４６】
さらに、実施の形態１と実施の形態２との組み合わせた場合、または実施の形態１と実施の形態３との組み合わせた場合など、複数の換気装置を組み合せた場合でも、各実施の形態における効果を得ることができ、連携制御機能を有効に活用することができる。
【０１４７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１４８】
１，２  換気システム、１０  レンジフードファン、１１  排気部、１２  レンジフードファン操作スイッチ、１３，２５，８３  制御部、２０  熱交換換気装置、２１  熱交換器、２２  排気側送風機、２３  給気側送風機、２４  熱交換器操作スイッチ、３０  電気錠、３１  電気錠部、３２  電気錠制御部、４０  ドア開閉検出部、４１  開閉検出部、４２  検出制御部、５０  連携制御装置、５１  連携制御部、５２，６３  通信部、６０  操作端末装置、６１  入力部、６２  表示部、６４  端末制御部、７０  建物内通信ライン、８０  サニタリー排気装置、８１  排気部、８２  サニタリー排気装置操作スイッチ、１０１  プロセッサ、１０２  メモリ、２０１  リビングダイニングキッチン、２０２  洗面所、２０３  浴室、２０４  トイレ、２０５  第１洋室、２０６  第２洋室、２０７  和室、２０８  玄関ドア、２０９  玄関、２１１  第１排気風路部、２１２  第１給気風路部、２１３  第２排気風路部、２１４  第３排気風路部、２１５  第４排気風路部、２１６  第２給気風路部、２１７  第３給気風路部、２２１，２２３，３１１  屋外排気口、２２２，２２６  屋外給気口、２２４  浴室排気口、２２５，３１４  トイレ排気口、２２７  室内給気口、３０１  第５排気風路部、３０２  第６排気風路部、３０３  第７排気風路部、３０４  第８排気風路部、３１２  洗面所排気口、３１３  浴室排気口、３１５  自然給気口。
【図１】
2018031510.tif 000003
【図２】
2018031510.tif 000004
【図３】
2018031510.tif 000005
【図４】
2018031510.tif 000006
【図５】
2018031510.tif 000007
【図６】
2018031510.tif 000008
【図７】
2018031510.tif 000009
【図８】
2018031510.tif 000010
【図９】
2018031510.tif 000011
【図１０】
2018031510.tif 000012
【図１１】
2018031510.tif 000013